【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
内容物注出用開口予定部を有する頂板部と頂板部周縁から降下した筒状側壁とを有し、且つ該筒状側壁の内側に容器口部が嵌合固定されるキャップ本体、及び該キャップ本体に開閉自在に設けられている上蓋からなるキャップにおいて、
前記キャップ本体の筒状側壁は、内側壁部と、該内側壁部の周囲に位置する外側壁部とからなっており、該内側壁部の下端部分の内面には、容器口部の外面と係合する厚肉の係合突起が、全周にわたって、適当な間隔で形成されており、
前記筒状側壁には、前記内側壁部と外側壁部とに引き裂き可能な引き裂き領域と、引き裂き不能な固定領域とが形成されており、
前記引き裂き領域と固定領域との一方の境界部には、前記外側壁部に、上端から下端まで軸方向に延びている軸方向弱化ラインが形成されており、
前記引き裂き領域は、前記筒状側壁の全周の少なくとも１／４以上にわたって形成されていると共に、該引き裂き領域では、前記筒状側壁の厚み部分を上端から下方に深く延びているスリットにより、前記内側壁部の下端部分が引き裂き可能な薄肉の連結部で外側壁部に連結されており、
前記固定領域は、前記筒状側壁の厚み部分を上端から下方に浅く延びているスリットにより前記内側壁部の下端部が引き裂き不能な厚肉の連結部により外側壁部に連結されているか、或いはスリットが形成されておらず、前記内側壁部と外側壁部とが一体化された領域となっており、
前記引き裂き領域における前記内側壁部では、前記係合突起が形成されていない部分が、下端から該係合突起の最厚肉部よりも上方に位置する部分までが薄肉に形成されていることを特徴とするキャップ。
【請求項２】
内容物注出用開口予定部を有する頂板部と頂板部周縁から降下した筒状側壁とを有し、且つ該筒状側壁の内側に容器口部が嵌合固定されるキャップ本体、及び該キャップ本体に開閉自在に設けられている上蓋からなるキャップにおいて、
前記キャップ本体の筒状側壁は、内側壁部と、該内側壁部の周囲に位置する外側壁部とからなっており、該内側壁部の下端部分の内面には、容器口部の外面と係合する厚肉の係合突起が、全周にわたって、適当な間隔で形成されており、
前記筒状側壁には、前記内側壁部と外側壁部とに引き裂き可能な引き裂き領域と、引き裂き不能な固定領域とが形成されており、
前記引き裂き領域と固定領域との一方の境界部には、前記外側壁部に、上端から下端まで軸方向に延びている軸方向弱化ラインが形成されており、
前記引き裂き領域は、前記筒状側壁の全周の少なくとも１／４以上にわたって形成されていると共に、該引き裂き領域では、前記筒状側壁の厚み部分を上端から下方に深く延びているスリットにより、前記内側壁部の下端部分が引き裂き可能な薄肉の連結部で外側壁部に連結されており、
前記固定領域は、前記筒状側壁の厚み部分を上端から下方に浅く延びているスリットにより前記内側壁部の下端部が引き裂き不能な厚肉の連結部により外側壁部に連結されているか、或いはスリットが形成されておらず、前記内側壁部と外側壁部とが一体化された領域となっており、
前記引き裂き領域における前記内側壁部では、前記係合突起が形成されていない部分が、下端から該係合突起の最厚肉部よりも上方に位置する部分までが薄肉に形成されているとともに、該薄肉部の外面と前記外側壁部の内面とを接合する軸方向リブが設けられており、該軸方向リブは、前記内側壁部と前記外側壁部との連結部から上方に延びていることを特徴とするキャップ。
【請求項３】
前記上蓋が、前記キャップ本体の筒状側壁にヒンジ連結されており、該ヒンジ連結部は前記引き裂き領域に形成されており、該ヒンジ連結部の周方向一方側端部の近傍から前記軸方向弱化ラインが延びている請求項１に記載のキャップ。
【請求項４】
前記外側壁部には、前記ヒンジ連結部の周方向他方側端部の近傍部分において、上端から前記内側壁との連結部分よりも上方部分にまで軸方向に延びている短い軸方向弱化ラインが形成されている請求項３に記載のキャップ。
【手続補正２】
【補正対象書類名】明細書
【補正対象項目名】０００７
【補正方法】変更
【補正の内容】
【０００７】
本発明の第１の態様によれば、内容物注出用開口予定部を有する頂板部と頂板部周縁から降下した筒状側壁とを有し、且つ該筒状側壁の内側に容器口部が嵌合固定されるキャップ本体、及び該キャップ本体に開閉自在に設けられている上蓋からなるキャップにおいて、
前記キャップ本体の筒状側壁は、内側壁部と、該内側壁部の周囲に位置する外側壁部とからなっており、該内側壁部の下端部分の内面には、容器口部の外面と係合する厚肉の係合突起が、全周にわたって、適当な間隔で形成されており、
前記筒状側壁には、前記内側壁部と外側壁部とに引き裂き可能な引き裂き領域と、引き裂き不能な固定領域とが形成されており、
前記引き裂き領域と固定領域との一方の境界部には、前記外側壁部に、上端から下端まで軸方向に延びている軸方向弱化ラインが形成されており、
前記引き裂き領域は、前記筒状側壁の全周の少なくとも１／４以上にわたって形成されていると共に、該引き裂き領域では、前記筒状側壁の厚み部分を上端から下方に深く延びているスリットにより、前記内側壁部の下端部分が引き裂き可能な薄肉の連結部で外側壁部に連結されており、
前記固定領域は、前記筒状側壁の厚み部分を上端から下方に浅く延びているスリットにより前記内側壁部の下端部が引き裂き不能な厚肉の連結部により外側壁部に連結されているか、或いはスリットが形成されておらず、前記内側壁部と外側壁部とが一体化された領域となっており、
前記引き裂き領域における前記内側壁部では、前記係合突起が形成されていない部分が、下端から該係合突起の最厚肉部よりも上方に位置する部分までが薄肉に形成されていることを特徴とするキャップが提供される。
【手続補正３】
【補正対象書類名】明細書
【補正対象項目名】０００８
【補正方法】変更
【補正の内容】
【０００８】
本発明の第２の態様によれば、内容物注出用開口予定部を有する頂板部と頂板部周縁から降下した筒状側壁とを有し、且つ該筒状側壁の内側に容器口部が嵌合固定されるキャップ本体、及び該キャップ本体に開閉自在に設けられている上蓋からなるキャップにおいて、
前記キャップ本体の筒状側壁は、内側壁部と、該内側壁部の周囲に位置する外側壁部とからなっており、該内側壁部の下端部分の内面には、容器口部の外面と係合する厚肉の係合突起が、全周にわたって、適当な間隔で形成されており、
前記筒状側壁には、前記内側壁部と外側壁部とに引き裂き可能な引き裂き領域と、引き裂き不能な固定領域とが形成されており、
前記引き裂き領域と固定領域との一方の境界部には、前記外側壁部に、上端から下端まで軸方向に延びている軸方向弱化ラインが形成されており、
前記引き裂き領域は、前記筒状側壁の全周の少なくとも１／４以上にわたって形成されていると共に、該引き裂き領域では、前記筒状側壁の厚み部分を上端から下方に深く延びているスリットにより、前記内側壁部の下端部分が引き裂き可能な薄肉の連結部で外側壁部に連結されており、
前記固定領域は、前記筒状側壁の厚み部分を上端から下方に浅く延びているスリットにより前記内側壁部の下端部が引き裂き不能な厚肉の連結部により外側壁部に連結されているか、或いはスリットが形成されておらず、前記内側壁部と外側壁部とが一体化された領域となっており、
前記引き裂き領域における前記内側壁部では、前記係合突起が形成されていない部分が、下端から該係合突起の最厚肉部よりも上方に位置する部分までが薄肉に形成されているとともに、該薄肉部の外面と前記外側壁部の内面とを接合する軸方向リブが設けられており、該軸方向リブは、前記内側壁部と前記外側壁部との連結部から上方に延びていることを特徴とするキャップが提供される。
【手続補正４】
【補正対象書類名】明細書
【補正対象項目名】００１０
【補正方法】変更
【補正の内容】
【００１０】
本発明の第１及び第２の態様のキャップにおいては、キャップ本体の筒状側壁が、容器口部との係合用突起が周方向に適当な間隔を置いて複数形成されている内側壁部と、外側壁部とから形成されていると共に、このような筒状側壁には、引き裂き領域と固定領域とが形成されており、筒状側壁の全周の１／４以上が引き裂き領域となっており、この引き裂き領域と固定領域との境界部において、外側壁部に、上端から下端まで軸方向に延びている軸方向弱化ラインが形成されている。即ち、容器内容液を取り出した後の使用済みキャップについて、キャップ本体を容器口部から取り外すには、外側壁部に形成されている前記軸方向弱化ラインを引き裂き、引き裂かれた外側壁部の端部を持って捲っていけばよく、これにより、引き裂き領域で外側壁部が内側壁部から引き剥がされ、キャップ本体の容器口部からの取り外しを行うことが可能となるのである。
【手続補正５】
【補正対象書類名】明細書
【補正対象項目名】００１２
【補正方法】変更
【補正の内容】
【００１２】
しかるに、本発明の第１及び第２の態様の何れのキャップにおいても、内側壁部の下端内面には容器口部との係合用突起は、複数形成されているが、この係合用突起の間の部分は、必ず壁部が存在し、隣り合う係合用突起はその側部で必ず連結されている。例えば、固定領域では、外側壁部と内側壁部とが一体に形成されているか或いは厚肉の連結部が形成されており、従って、隣り合う係合用突起の間には必ず壁部が存在し、両者は互いに連なっている。また、引き裂き領域では、隣り合う係合用突起の間は薄肉壁となっており、従って、この領域においても、隣り合う係合用突起は互いに連結されている。このことから理解されるように、キャップ本体が容器口部に装着されている状態では、内側壁の下端内面に形成されている複数の係合用突起は、全体がリング状に結合しており、これらは互いに拘束し合うようになっている。しかも、これらの係合突起が形成されている内側壁の下端部は、その全周にわたって外側壁部によって覆われている。このため、内側壁部の内面の係合用突起は、がっちりと容器口部に係合しており、従って、キャップ本体と容器口部との高い係合力が確保されている。